(57)【要約】【課題】設置場所によらず、良好な通信状態を実現することができるコネクターを提供する。【解決手段】互いに嵌合するオス側コネクター１１０及びメス側コネクター１２０を含み、無線通信モジュール３２をプロジェクター１に接続するコネクター１００であって、オス側コネクター１１０は、複数の接続端子を備え、メス側コネクター１２０との接合面の中心に対して点対称な正面方向及び背面方向のいずれかの方向でメス側コネクター１２０に接続した場合に、複数の接続端子がメス側コネクター１２０側の接続端子に接続される。【選択図】図４
2015185214.tif 000002
【特許請求の範囲】
【請求項１】
互いに嵌合するプラグ及びレセプタクルを含み、無線通信モジュールを電子機器に接続するコネクターであって、
前記プラグは、複数の接点を備え、
前記レセプタクルとの接合面の中心に対して点対称な第１及び第２の方向のいずれかの方向で前記レセプタクルに接続された場合に、前記複数の接点が前記レセプタクル側の接点に接続されることを特徴とするコネクター。
【請求項２】
前記複数の接点は、前記プラグが前記第１の方向及び前記第２の方向のいずれかの方向で前記レセプタクルに接続された場合に、各接点に割り当てられた信号線と同一の信号線を割り当てられた前記レセプタクルの接点に接続されることを特徴とする請求項１記載のコネクター。
【請求項３】
互いに嵌合するプラグ及びレセプタクルを含み、無線通信モジュールを電子機器に接続するコネクターであって、
前記プラグは、電源線に接続された複数の第１接点と、接地線に接続された複数の第２接点とを備え、
前記複数の第１接点は、前記レセプタクルとの接合面の中心に対して互いに点対称となる位置に配置され、
前記複数の第２接点は、前記接合面の中心に対して互いに点対称となる位置に配置され、
前記複数の第１及び第２接点は、前記接合面の中心に対して点対称な第１及び第２の方向のいずれかの方向で前記レセプタクルに接続された場合に、前記レセプタクル側の接点に接続されることを特徴とするコネクター。
【請求項４】
前記レセプタクルは、電源線に接続された複数の第３接点と、接地線に接続された複数の第４接点とを備え、
前記複数の第３接点は、前記プラグとの接合面の中心に対して互いに点対称となる位置に配置され、
前記複数の第４接点は、前記接合面の中心に対して互いに点対称となる位置に配置されたことを特徴とする請求項３記載のコネクター。
【請求項５】
前記複数の第３接点は、前記レセプタクルが前記第１の方向及び前記第２の方向のいずれかの方向で前記プラグに接続された場合に、前記プラグの前記電源線に接続された前記複数の第１接点に接続され、
前記複数の第４接点は、前記レセプタクルが前記第１の方向及び前記第２の方向のいずれかの方向で前記プラグに接続された場合に、前記プラグの前記接地線に接続された前記複数の第２接点に接続されることを特徴とする請求項４記載のコネクター。
【請求項６】
前記プラグは、画像データの通信に使用する差動信号線対に接続する複数の第５接点を備え、
前記レセプタクルは、前記プラグが前記第１の方向で前記レセプタクルに接続された場合に前記差動信号線対に接続される複数の第６接点と、前記プラグが前記第２の方向で前記レセプタクルに接続された場合に前記差動信号線対に接続される複数の第７接点とを備えることを特徴とする請求項３から５のいずれか一項に記載のコネクター。
【請求項７】
前記レセプタクルに対する前記プラグの接続方向である前記第１の方向と前記第２の方向とを判定する複数の信号線に接続した複数の第８接点を備えることを特徴とする請求項３から６のいずれか一項に記載のコネクター。
【請求項８】
前記コネクターは、２ＧＨｚ以上の周波数帯域の電波を使用して無線通信を行う無線通信モジュールと、電子機器とを接続するコネクターであることを特徴とする請求項３から７のいずれか一項記載のコネクター。
【請求項９】
前記プラグは、前記無線通信モジュールに設けられ、
前記レセプタクルは、前記電子機器に設けられることを特徴とする請求項３から８のいずれか一項に記載のコネクター。
【請求項１０】
前記プラグ及び前記レセプタクルは、２行ｎ列（ｎは２以上の偶数）に配置された２×ｎ個の接点を備えており、
少なくとも、第１行目の一端からｎ／２番目の接点、第１行目の一端から（ｎ／２）＋１番目の接点、第２行目の一端からｎ／２番目の接点、及び第２行目の一端から（ｎ／２）＋１番目の接点が電源線に割り当てられていることを特徴とする請求項３から９のいずれか一項に記載のコネクター。
【請求項１１】
前記プラグ及び前記レセプタクルは、２行ｎ列（ｎは３以上の奇数）に配置された２×ｎ個の接点を備えており、
少なくとも、第１行目の一端から（ｎ＋１）／２番目の接点、及び第２行目の一端から（ｎ＋１）／２番目の接点が電源線に割り当てられていることを特徴とする請求項３から９のいずれか一項に記載のコネクター。
【請求項１２】
前記プラグ及び前記レセプタクルは、２行ｎ列（ｎは２以上の自然数）に配置された２×ｎ個の接点を備えており、
少なくとも、第１行目及び第２行目の、ｎ以下であって、一端から１＋３ｍ（ｍは０以上の整数）番目の接点が接地線に割り当てられていることを特徴とする請求項３から１１のいずれか一項に記載のコネクター。
【請求項１３】
無線通信回路を収容する本体と、接続対象の電子機器が備えるレセプタクルに嵌合して接続されるプラグとを備え、
前記プラグは、複数の接点を備え、前記レセプタクルとの接合面の中心に対して点対称な第１及び第２の方向のいずれかの方向で前記レセプタクルに接続された場合に、前記複数の接点が前記レセプタクル側の接点に接続されることを特徴とする無線通信モジュール。
【請求項１４】
前記本体は、通信可能な指向性アンテナを備えることを特徴とする請求項１３記載の無線通信モジュール。
【請求項１５】
前記本体のいずれか１の面に、前記指向性アンテナを複数有することを特徴とする請求項１４記載の無線通信モジュール。
【請求項１６】
請求項１３から１５のいずれか一項に記載の無線通信モジュールと、前記本体に設けたレセプタクルとを接続して構成されることを特徴とする無線通信装置。
【請求項１７】
請求項１６に記載の無線通信装置を備えることを特徴とする電子機器。
【発明の詳細な説明】
【技術分野】
【０００１】
本発明は、コネクター、無線通信モジュール、無線通信装置、及び、電子機器に関する。
【背景技術】
【０００２】
指向性の高い電波を用いた通信においては、通信機の設置場所によっては、受信感度が低下してしまうという課題がある。そこで、特許文献１では、画像情報を無線受信する受信装置の向きを変更する駆動部を設けて、受信感度に基づき受信装置の向きを変更させる技術を開示している。
【先行技術文献】
【特許文献】
【０００３】
【特許文献１】特開２０１３−１１７６６０号公報
【発明の概要】
【発明が解決しようとする課題】
【０００４】
特許文献１では、受信装置の向きを調整するための機構が必要となり、コストアップにつながる。
本発明は上記事情に鑑みてなされたものであり、設置場所によらず、良好な通信状態を実現することができるコネクター、無線通信モジュール、無線通信装置、及び、電子機器を提供することを目的とする。
【課題を解決するための手段】
【０００５】
上記目的を達成するために、本発明のコネクターは、互いに嵌合するプラグ及びレセプタクルを含み、無線通信モジュールを電子機器に接続するコネクターであって、前記プラグは、複数の接点を備え、前記レセプタクルとの接合面の中心に対して点対称な第１及び第２の方向のいずれかの方向で前記レセプタクルに接続された場合に、前記複数の接点が前記レセプタクル側の接点に接続されることを特徴とする。
本構成によれば、レセプタクルに対してプラグがどちらの方向で接続されても接点が導通するので、接続方向を選択することができる。従って、通信状態のよい方向を選択してプラグをレセプタクルに接続することで、設置場所によらず、良好な通信状態を実現することができる。
【０００６】
また、本発明は、上記コネクターにおいて、前記複数の接点は、前記プラグが前記第１の方向及び前記第２の方向のいずれかの方向で前記レセプタクルに接続された場合に、各接点に割り当てられた信号線と同一の信号線を割り当てられた前記レセプタクルの接点に接続されることを特徴とする。
本構成によれば、プラグを、レセプタクルに対して第１の方向及び第２の方向のいずれかの方向で接続した場合に、プラグとレセプタクルとの接点が電気的に接続され、信号の送受信が可能となる。
【０００７】
本発明のコネクターは、互いに嵌合するプラグ及びレセプタクルを含み、無線通信モジュールを電子機器に接続するコネクターであって、前記プラグは、電源線に接続された複数の第１接点と、接地線に接続された複数の第２接点とを備え、前記複数の第１接点は、前記レセプタクルとの接合面の中心に対して互いに点対称となる位置に配置され、前記複数の第２接点は、前記接合面の中心に対して互いに点対称となる位置に配置され、前記複数の第１及び第２接点は、前記接合面の中心に対して点対称な第１及び第２の方向のいずれかの方向で前記レセプタクルに接続された場合に、前記レセプタクル側の接点に接続されることを特徴とする。
本構成によれば、レセプタクルに対してプラグがどちらの方向で接続されても接点が導通するので、接続方向を選択することができる。従って、通信状態のよい方向を選択してプラグをレセプタクルに接続することで、設置場所によらず、良好な通信状態を実現することができる。
【０００８】
また、本発明は、上記コネクターにおいて、前記レセプタクルは、電源線に接続された複数の第３接点と、接地線に接続された複数の第４接点とを備え、前記複数の第３接点は、前記プラグとの接合面の中心に対して互いに点対称となる位置に配置され、前記複数の第４接点は、前記接合面の中心に対して互いに点対称となる位置に配置されたことを特徴とする。
本構成によれば、プラグを、レセプタクルに対して第１の方向及び第２の方向のいずれかの方向で接続した場合に、プラグとレセプタクルとの接点が電気的に接続され、信号の送受信が可能となる。
【０００９】
また、本発明は、上記コネクターにおいて、前記複数の第３接点は、前記レセプタクルが前記第１の方向及び前記第２の方向のいずれかの方向で前記プラグに接続された場合に、前記プラグの前記電源線に接続された前記複数の第１接点に接続され、前記複数の第４接点は、前記レセプタクルが前記第１の方向及び前記第２の方向のいずれかの方向で前記プラグに接続された場合に、前記プラグの前記接地線に接続された前記複数の第２接点に接続される。
本構成によれば、プラグを、レセプタクルに対して第１の方向及び第２の方向のいずれかの方向で接続した場合に、プラグとレセプタクルとの接点が電気的に接続され、信号の送受信が可能となる。
【００１０】
また、本発明は、上記コネクターにおいて、前記プラグは、画像データの通信に使用する差動信号線対に接続する複数の第５接点を備え、前記レセプタクルは、前記プラグが前記第１の方向で前記レセプタクルに接続された場合に前記差動信号線対に接続される複数の第６接点と、前記プラグが前記第２の方向で前記レセプタクルに接続された場合に前記差動信号線対に接続される複数の第７接点とを備えることを特徴とする。
本構成によれば、プラグを、レセプタクルに対して第１の方向及び第２の方向のいずれかの方向で接続した場合に、差動信号線対に接続した接点同士を接続することができ、差動信号線対を用いた画像データの通信が可能になる。
【００１１】
また、本発明は、上記コネクターにおいて、前記プラグの前記レセプタクルに対する接続方向である前記第１の方向と前記第２の方向とを判定する複数の信号線に接続した複数の第８接点を備えることを特徴とする。
本構成によれば、プラグがレセプタクルに対して第１の方向で接続されたのか、第２の方向で接続されたのかを判定することができる。
【００１２】
また、本発明は、上記コネクターにおいて、前記コネクターは、２ＧＨｚ以上の周波数帯域の電波を使用して無線通信を行う無線通信モジュールと、電子機器とを接続するコネクターであることを特徴とする。また、本発明は、上記コネクターにおいて、前記プラグは、前記無線通信モジュールに設けられ、前記レセプタクルは、前記電子機器に設けられることを特徴とする。
本構成によれば、無線通信モジュールと電子機器とをコネクターにより接続することができる。特に、無線通信モジュールが、指向性を有する電波を使用して無線通信を行う無線通信モジュールである場合、通信状態のよい方向を選択してプラグをレセプタクルに接続することで、設置場所によらず、良好な通信状態を実現することができる。
【００１３】
また、本発明は、上記コネクターにおいて、前記プラグ及び前記レセプタクルは、２行ｎ列（ｎは２以上の偶数）に配置された２×ｎ個の接点を備えており、少なくとも、第１行目の一端からｎ／２番目の接点、第１行目の一端から（ｎ／２）＋１番目の接点、第２行目の一端からｎ／２番目の接点、及び第２行目の一端から（ｎ／２）＋１番目の接点が電源線に割り当てられていることを特徴とする。
【００１４】
また、本発明は、上記コネクターにおいて、前記プラグ及び前記レセプタクルは、２行ｎ列（ｎは３以上の奇数）の接点を備えており、少なくとも、第１行目の一端から（ｎ＋１）／２番目の接点、及び第２行目の一端から（ｎ＋１）／２番目の接点が電源線に割り当てられていることを特徴とする。
【００１５】
また、本発明は、上記コネクターにおいて、前記プラグ及び前記レセプタクルは、２行ｎ列（ｎは２以上の自然数）に配置された２×ｎ個の接点を備えており、少なくとも、第１行目及び第２行目の、ｎ以下であって、一端から１＋３ｍ（ｍは０以上の整数）番目の接点が接地線に割り当てられていることを特徴とする。
【００１６】
本発明の無線通信モジュールは、無線通信回路を収容する本体と、接続対象の電子機器が備えるレセプタクルに嵌合して接続されるプラグとを備え、前記プラグは、複数の接点を備え、前記レセプタクルとの接合面の中心に対して点対称な第１及び第２の方向のいずれかの方向で前記レセプタクルに接続された場合に、前記複数の接点が前記レセプタクル側の接点に接続されることを特徴とする。
本構成によれば、通信状態のよい方向を選択してプラグをレセプタクルに接続することで、設置場所によらず、良好な通信状態を実現することができる。
【００１７】
また、本発明は、上記無線通信モジュールにおいて、前記本体は、通信可能な指向性アンテナを備えることを特徴とする。
本構成によれば、無線通信モジュールが、指向性を有する電波を使用して無線通信を行う無線通信モジュールである場合に、通信状態のよい方向を選択してプラグをレセプタクルに接続することで、設置場所によらず、良好な通信状態を実現することができる。
【００１８】
また、本発明は、上記無線通信モジュールにおいて、前記本体のいずれか１の面に、前記指向性アンテナを複数有することを特徴とする。
本構成によれば、無線通信モジュールが、指向性を有する電波を使用して無線通信を行う無線通信モジュールである場合に、通信状態のよい方向を選択してプラグをレセプタクルに接続することで、設置場所によらず、良好な通信状態を実現することができる。
【００１９】
また、本発明の無線通信装置は、請求項１３から１５のいずれか一項に記載の無線通信モジュールと、前記本体に設けたレセプタクルとを接続して構成されることを特徴とする。
本構成によれば、通信状態のよい方向を選択してプラグをレセプタクルに接続することで、設置場所によらず、良好な通信状態を実現することができる。
【００２０】
本発明の電子機器は、請求項１６に記載の無線通信装置を備えることを特徴とする。
本構成によれば、通信状態のよい方向を選択してプラグをレセプタクルに接続することで、設置場所によらず、良好な通信状態を実現することができる。
【発明の効果】
【００２１】
本発明によれば、設置場所によらず、良好な通信状態を実現することができるという効果を奏する。
【図面の簡単な説明】
【００２２】
【図１】プロジェクターの構成の一例を示すブロック図である。
【図２】（Ａ）は、プロジェクターに無線通信モジュールを取り付けた状態を示す図であり、（Ｂ）は、プロジェクターから無線通信モジュールを取り外した状態を示す図である。
【図３】（Ａ）は、１のアンテナ部を有する無線通信モジュールの構成を示す図であり、（Ｂ）は、２のアンテナ部を有する無線通信モジュールの構成を示す図である。
【図４】（Ａ）は、オス側コネクターのピンアサインの一例を示す図であり、（Ｂ）は、メス側コネクターのピンアサインの一例を示す図である。
【図５】オス側コネクターを１８０度回転した状態を示す図である。
【発明を実施するための形態】
【００２３】
以下、添付図面を参照しながら本発明の実施形態について説明する。
まず、図１を参照しながら本実施形態の構成について説明する。本実施形態は、プロジェクター１と、画像供給装置５１とが無線通信にて接続されている。プロジェクター１に接続した無線通信モジュール３２と、画像供給装置５１に接続した無線通信装置５２とが無線通信を行って、画像供給装置５１から供給される画像データをプロジェクター１に送信する。プロジェクター１は、画像供給装置５１から受信した画像データに基づく画像をスクリーンＳＣに投射して表示する。画像供給装置５１としては、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等が挙げられる。
【００２４】
プロジェクター１は、無線送信装置３０を備える。無線送信装置３０は、無線通信モジュール３２と、インターフェイス部（以下、Ｉ／Ｆ部と略記する）３１と、無線通信モジュール３２とＩ／Ｆ部３１とを接続するコネクター１００と、制御部２０とを備える。
無線通信モジュール３２は、コネクター１００を介してプロジェクター１の備えるＩ／Ｆ部３１に接続され、画像供給装置５１から無線通信により送信される制御データ、プロジェクター１の動作を設定する設定データ、画像データ等を受信する。無線通信モジュール３２は、受信した制御データ、設定データ、画像データ等のデータを、Ｉ／Ｆ部３１を介して制御部２０又は画像処理部２４に出力する。無線通信モジュール３２及びコネクター１００の詳細については後述する。
【００２５】
Ｉ／Ｆ部３１は、ＰＣ等の外部の装置との間で各種データを送受信するインターフェイスである。Ｉ／Ｆ部３１は、画像の投射に関する制御データ、プロジェクター１の動作を設定する設定データ等を入力する。Ｉ／Ｆ部３１は、入力した制御データ、設定データ等を制御部２０に渡す。後述する制御部２０は、Ｉ／Ｆ部３１を介して外部の装置とデータを送受信する機能を有する。また、Ｉ／Ｆ部３１は、画像データを入力するインターフェイスを備えている。例えば、Ｉ／Ｆ部３１は、ＨＤＭＩ（High-Definition Multimedia Interface：登録商標）、ＤｉｓｐｌａｙＰｏｒｔ（商標）、ＣｏａＸＰｒｅｓｓ（登録商標）等の画像データ用のインターフェイスも備えている。さらに、Ｉ／Ｆ部３１は、音声データが入力されるインターフェイスを備えてもよい。Ｉ／Ｆ部３１は、入力した画像データを画像処理部２４に渡す。特に、ＨＤＭＩ等の画像データ用のインターフェイスをＩ／Ｆ部３１に設けることで、例えば、画像供給装置５１は、ＨＤＭＩ形式の映像データや音声データを他の形式に変換することなく、そのままプロジェクター１に送信することができる。
本実施形態のプロジェクター１は、Ｉ／Ｆ部３１を介して入力される画像データに基づき画像を投射する。なお、画像データは、デジタル画像データであってもよいし、アナログ画像データであってもよい。アナログ画像データに基づき画像を投射する場合、Ｉ／Ｆ部３１は、アナログ画像用のインターフェイスと、アナログ画像信号をデジタル画像データに変換するＡ／Ｄ変換回路とを備えてもよい。
【００２６】
プロジェクター１は、光学的な画像の形成を行う投射部１０を備える。投射部１０は、光源部１１、光変調装置１２及び投射光学系１３を有する。
光源部１１は、キセノンランプ、超高圧水銀ランプ、ＬＥＤ（Light Emitting Diode）、或いはレーザー光源等からなる光源を備える。また、光源部１１は、光源が発した光を光変調装置１２に導くリフレクター及び補助リフレクターを備えていてもよい。さらに、投射光の光学特性を高めるためのレンズ群（図示略）、偏光板、或いは光源が発した光の光量を光変調装置１２に至る経路上で低減させる調光素子等を備えていてもよい。
光変調装置１２は、例えばＲＧＢの三原色に対応した３枚の透過型液晶パネルを備え、この液晶パネルを透過する光を変調して画像光を生成する。光源部１１からの光はＲＧＢの３色の色光に分離され、各色光は対応する各液晶パネルに入射する。各液晶パネルを通過して変調された色光はクロスダイクロイックプリズム等の合成光学系によって合成され、投射光学系１３に射出される。
投射光学系１３は、光変調装置１２により変調された画像光をスクリーンＳＣ方向へ導き、スクリーンＳＣ上に結像させるレンズ群を備える。また、投射光学系１３は、スクリーンＳＣの投射画像の拡大・縮小及び焦点の調整を行うズーム機構と、フォーカスの調整を行うフォーカス調整機構とを備えていてもよい。プロジェクター１が短焦点型である場合、投射光学系１３に、画像光をスクリーンＳＣに向けて反射する凹面鏡を備えていてもよい。
【００２７】
投射部１０には、投射光学系駆動部２１、光源駆動部２２及び光変調装置駆動部２３が接続されている。投射光学系駆動部２１は、制御部２０の制御に従って投射光学系１３が備える各モーターを駆動する。光源駆動部２２は、制御部２０の制御に従って光源部１１が備える光源を駆動する。光変調装置駆動部２３は、制御部２０の制御に従って光変調装置１２を駆動する。
【００２８】
制御部２０は、ＣＰＵ（Central Processing Unit）や、各種データ等の一時記憶に用いられるＲＡＭ（Random Access Memory）、不揮発性のＲＯＭ（Read Only Memory）等を備えている。制御部２０は、ＲＯＭに記憶されている制御プログラムに従ってＣＰＵが動作することによりプロジェクター１の動作を統括制御する。つまり、制御部２０は、コンピューターとして機能する。
【００２９】
操作パネル２６は、ユーザーのキー操作を受け付ける操作受付部に相当するものであり、ユーザーがプロジェクター１に対して各種指示を行うための複数の操作キーを備えている。
ユーザーが操作パネル２６の各種操作キーを操作すると、操作パネル２６は、この操作を受け付けて、操作された操作キーに対応する制御信号を制御部２０に出力する。そして、制御部２０は、操作パネル２６から制御信号が入力されると、入力された制御信号に基づく処理を行って、プロジェクター１の動作を制御する。なお、操作パネル２６の代わりに、あるいは操作パネル２６とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３０】
プロジェクター１は、画像処理部２４を備える。
画像処理部２４は、制御部２０の制御に従って、Ｉ／Ｆ部３１を介して入力される画像データを処理し、光変調装置駆動部２３に画像信号を出力する。画像処理部２４が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部２４は、制御部２０により指定された処理を実行し、必要に応じて、制御部２０から入力されるパラメーターを使用して処理を行う。また、上記のうち複数の処理を組み合わせて実行することも勿論可能である。
また、画像処理部２４は、フレームメモリー２５に接続されている。画像処理部２４は、Ｉ／Ｆ３１から入力される画像データをフレームメモリー２５に展開して、展開した画像データに対し上記の各種処理を実行する。画像処理部２４は、処理後の画像データをフレームメモリー２５から読み出して、この画像データに対応するＲ、Ｇ、Ｂの画像信号を生成し、光変調装置駆動部２３に出力する。光変調装置１２の液晶パネルに接続される光変調装置駆動部２３は、画像処理部２４から入力される画像信号に基づいて液晶パネルを駆動し、各液晶パネルに画像を描画する。
【００３１】
次に、図２〜図５を参照しながら無線通信モジュール３２及びコネクター１００について説明する。まず、図２を参照しながら無線通信モジュール３２のプロジェクター１への接続について説明する。図２（Ａ）に、無線通信モジュール３２を、プロジェクター１に接続した状態を示し、図２（Ｂ）に、無線通信モジュール３２を、プロジェクター１から切り離した状態を示している。
プロジェクター１と無線通信モジュール３２とは、コネクター１００により接続されている。コネクター１００は、無線通信モジュール３２に取り付けたオス側コネクター１１０と、プロジェクター１の筐体７０に取り付けたメス側コネクター１２０とを備えている。オス側コネクター１１０と、メス側コネクター１２０とを嵌合させることで、プロジェクター１と無線通信モジュール３２とが電気的に接続される。また、オス側コネクター１１０を、メス側コネクター１２０から取り外すことで、プロジェクター１と無線通信モジュール３２との電気的接続が解消されて、無線通信モジュール３２がプロジェクター１から取り外される。なお、オス側コネクター１１０を、プロジェクター１に設け、メス側コネクター１２０を無線通信モジュール３２に設けてもよい。
メス側コネクター１２０は、プロジェクター１の装置本体を収容する筐体７０の上面に設けられている。従って、プロジェクター１との接続の際には、無線通信モジュール３２は、プロジェクター１の上面に配置される。なお、本実施形態では、筐体７０の上面にメス側コネクター１２０を設けた例を示したが、メス側コネクター１２０を設ける位置は上面に限らず、筐体７０の前面、側面、背面等に設けてもよい。
【００３２】
図３（Ａ）は、無線通信モジュール３２を示す斜視図である。無線通信モジュール３２は、モジュールとして構成されており、アンテナ部１３０と、モジュール本体部１４０とを備える。アンテナ部１３０は、モジュール本体部１４０の前面に設けられている。アンテナ部１３０の備えるアンテナは、指向性を有するアンテナである。画像供給装置５１に接続した無線通信装置５２と、無線通信モジュール３２とは、例えば、無線通信インターフェイス規格であるＷｉｒｅｌｅｓｓＨＤ(登録商標)による通信を行う。ＷｉｒｅｌｅｓｓＨＤでは、通信電波に、６０ＧＨｚ帯域の電波を用いている。ミリ波を用いた通信では、通信を行うことが可能な方向（範囲）が限定される。このため、アンテナに指向性を有するものを使用し、アンテナ部１３０のアンテナと、無線通信装置５２の備えるアンテナとを指向性が強い方向が対向するように配置することで、データのやりとりを効率よく行うことができる。なお、無線通信装置５２と、無線通信モジュール３２との無線通信には、２ＧＨｚ以上の周波数帯域の電波を使用することができる。例えば、通信電波として、２．４ＧＨｚ、５ＧＨｚ等の無線ＬＡＮ（Local Area Network）で使用される電波を用い、通信規格としてＭｉｒａｃａｓｔ（登録商標）を用いて通信を行うこともできる。
モジュール本体部１４０は、ＲＦ（Radio Frequency）部と、ベースバンド処理部とを備える。ＲＦ部は、送信時にベースバンド信号をアップコンバートして高周波信号に変換し、アンテナから出力する。また、ＲＦ部は、受信時にアンテナから受信した高周波信号をダウンコンバートしてベースバンド信号に変換する。ベースバンド処理部は、例えば、ベースバンド信号に対して変復調処理等を行う。
【００３３】
図３（Ｂ）は、無線通信モジュール３２の他の構成を示す斜視図である。図３（Ｂ）に示す無線通信モジュール３２は、２つのアンテナ部１５０，１６０を、モジュール本体部１４０の前面に設けている。すなわち、２つのアンテナ部１５０，１６０は、モジュール本体部１４０の同一面に設けられている。なお、モジュール本体部１４０に設けるＲＦ部及びベースバンド処理部も、アンテナ部１５０，１６０と同様に２つ設ける構成であってもよい。各アンテナ部１５０、１６０でそれぞれに受信した電波をＲＦ部及びベースバンド処理部でそれぞれに処理するものであってもよい。２つのアンテナ部１５０，１６０を設けたことで、例えば、アンテナ部１５０により６０ＧＨｚの周波数帯の電波を送信又は受信し、アンテナ部１６０により２．４ＧＨｚの周波数帯の電波を送信又は受信することもできる。また、アンテナ部１５０及び１６０の両方で、６０ＧＨｚの周波数帯の電波を送受信するようにしてもよい。例えば、アンテナ部１５０とアンテナ部１６０とにそれぞれ異なるチャンネルの電波を送受信させてもよい。また、１ストリームの画像データの送受信に、２系統を使用するようにしてもよい。例えば、データの送信側である無線通信装置５２は、送信する画像データを２つに分割して、分割した画像データを無線通信装置５２に設けた２つのアンテナにより同時に送信する。無線通信モジュール３２では、アンテナ部１５０及び１６０で、無線通信装置５２から送信される各画像データをそれぞれに受信し、アンテナ部１５０及び１６０で受信した画像データをモジュール本体部１４０の備えるベースバンド処理部で合成する。これにより、通信帯域を擬似的に広帯域化し、通信を高速化することができる。例えば、１ストリームの画像データの送信に１系統を使用して１０８０ｐの映像を送信し、１ストリームの画像データの送信に２系統を使用することで、４ｋの映像の送信を可能とすることもできる。
【００３４】
次に、図４を参照しながらオス側コネクター１１０及びメス側コネクター１２０の備える接続端子（接点）の割り当て（ピンアサイン）について説明する。図４（Ａ）に、オス側コネクター１１０の備える接続端子のピンアサインの一例を示し、図４（Ｂ）に、メス側コネクター１２０のピンアサインの一例を示す。オス側コネクター１１０及びメス側コネクター１２０は、それぞれ２０端子を備えている。
オス側コネクター１１０の端子番号５，６，１５，１６の接続端子（第１接点）は、電源線に接続されている。また、端子番号１，４，７，１０，１１，１４，１７，２０の接続端子（第２接点）は、接地線に接続されている。また、端子番号１２，１３の接続端子（第５接点）は、差動信号線に接続されている。端子番号１２の接続端子は、差動信号線の＋側（ポジティブ側）に接続され、端子番号１３の接続端子は、差動信号線の−側（ネガティブ側）に接続されている。また、端子番号２，１９の接続端子は、制御信号線に接続されている。また、端子番号３，１８の接続端子（第８端子）は、向き検出用端子として使用される。また、端子番号８，９番の接続端子は、アサインされずに空きになっている。向き検出用端子の詳細については後述する。差動信号線は、画像データの送信に用いられる。以下の説明では、差動信号線を含む画像データの送信に用いられる線を「画像信号線」とも称する。
メス側コネクター１２０の端子番号５，６，１５，１６の接続端子（第３接点）は、電源線に接続されている。また、端子番号１，４，７，１０，１１，１４，１７，２０の接続端子（第４接点）は、接地線に接続されている。また、端子番号８，９の接続端子（第７接点）、及び端子番号１２，１３の接続端子（第６接点）は、差動信号線に接続されている。端子番号９，１２の接続端子は、差動信号線の＋側（ポジティブ側）に接続され、端子番号８，１３の接続端子は、差動信号線の−側（ネガティブ側）に接続されている。また、端子番号２，１９の接続端子は、制御信号線に接続されている。また、端子番号３，１８の接続端子（第８端子）は、向き検出用端子として使用される。
【００３５】
本実施形態のコネクター１００は、オス側コネクター１１０を、メス側コネクター１２０に対して、正面方向（第１の方向）、又は１８０度回転させた背面方向（第２の方向）で接続することができるように構成している。正面方向は、アンテナ部１３０が、プロジェクター１の正面側（投射光学系１３を設けた側）を向く方向である。また、背面方向は、アンテナ部１３０が、プロジェクター１の背面側を向く方向であり、正面方向からオス側コネクター１１０を１８０度回転させた向きである。なお、以下では、アンテナ部１３０が正面側を向くオス側コネクター１１０とメス側コネクター１２０との接続を正面接続といい、アンテナ部１３０が背面側を向くオス側コネクター１１０とメス側コネクター１２０との接続を背面接続という。
プロジェクター１は、壁掛け状態又は天吊り状態で設置された場合、無線通信モジュール３２の受信感度が良好となるように、プロジェクター１の向きを変更するのが難しい場合がある。特に、指向性の高い電波を用いて通信を行う場合には、画像供給装置５１の設置場所との関係で、良好な通信状態を実現するのが難しい場合がある。このため、本実施形態では、プロジェクター１の向きを変更することなく、受信状況を改善することができるように、無線通信モジュール３２を、プロジェクター１に対して正面接続又は背面接続で接続できるように構成した。
【００３６】
正面接続をした場合、オス側コネクター１１０とメス側コネクター１２０とは、端子番号の同じ接続端子同士が接続される。例えば、オス側コネクター１１０の端子番号１の接続端子は、メス側コネクター１２０の端子番号１の接続端子と接続される。以下、同様にしてオス側コネクター１１０の端子番号２，３，４，・・・，８，９，１０の接続端子は、メス側コネクター１２０の端子番号２，３，４，・・・，８，９，１０の接続端子に接続される。また、オス側コネクター１１０の端子番号１１，１２，１３，・・・，１８，１９，２０の接続端子は、メス側コネクター１２０の端子番号１１，１２，１３，・・・，１８，１９，２０の接続端子に接続される。また、メス側コネクター１２０の各接続端子は、対応するオス側コネクター１１０の接続端子が挿入された際に、当該挿入された接続端子に割り当てられた信号線と同一の信号線が割り当てられている。例えば、オス側コネクター１１０の端子番号５，６，１５，１６の接続端子は、電源線に接続されているため、メス側コネクター１２０の端子番号５，６，１５，１６の接続端子も電源線が接続されている。また、オス側コネクター１１０の端子番号１，４，７，１０，１１，１，１７，２０の接続端子は、接地線に接続されている。従って、メス側コネクター１２０の端子番号１，４，７，１０，１１，１，１７，２０の接続端子も、接地線に接続されている。また、オス側コネクター１１０の端子番号１２の接続端子は、差動信号線の＋側（ポジティブ側）に接続され、端子番号１３番の接続端子は、差動信号線の−側（ネガティブ側）に接続されている。従って、メス側コネクター１２０の端子番号１２の接続端子は、差動信号線の＋側（ポジティブ側）に接続され、端子番号１３番の接続端子は、差動信号線の−側（ネガティブ側）に接続されている。
【００３７】
図５には、図４（Ａ）に示すオス側コネクター１１０を１８０度回転させた場合を示している。背面接続をした場合、メス側コネクター１２０の端子番号１の接続端子には、オス側コネクター１１０の端子番号２０の接続端子が接続される。以下、同様にして、メス側コネクター１２０の端子番号２，３，４，・・・，８，９，１０の接続端子には、オス側コネクター１１０の端子番号１９，１８，１７，・・・，１３，１２，１１の接続端子が接続される。また、メス側コネクター１２０の端子番号１１，１２，１３，・・・，１８，１９，２０の接続端子には、オス側コネクター１１０の端子番号１０，９，８，・・・，３，２，１の接続端子が接続される。また、背面接続においても、メス側コネクター１２０の各接続端子は、対応するオス側コネクター１１０の接続端子が挿入された際に、当該挿入された接続端子に割り当てられた信号線と同一の信号線が割り当てられている。例えば、電源線に接続された端子番号５，６，１５，１６のオス側コネクター１１０の接続端子は、電源線に接続された端子番号１６，１５，６，５のメス側コネクター１２０の接続端子に接続される。また、接地線に接続された端子番号１，４，７，１０，１１，１４，１７，２０のオス側コネクター１１０の接続端子は、接地線に接続された端子番号２０，１７，１４，１１、１０，７，４，１のメス側コネクター１２０の接続端子に接続される。また、制御信号線に接続された端子番号２，１９のオス側コネクター１１０の接続端子は、制御信号線に接続された端子番号１９，２のメス側コネクター１２０の接続端子に接続される。また、差動信号線の＋側（ポジティブ側）に接続された端子番号１２のオス側コネクター１１０の接続端子は、差動信号線の＋側（ポジティブ側）に接続された端子番号９のメス側コネクター１２０の接続端子に接続される。同様に、差動信号線の−（ネガティブ側）に接続された端子番号１３のオス側コネクター１１０の接続端子は、差動信号線の−側（ネガティブ側）に接続された端子番号８のメス側コネクター１２０の接続端子に接続される。また、オス側コネクター１１０の向き検出用端子である端子番号１８の接続端子は、メス側コネクター１２０の向き検出用端子である端子番号３の接続端子に接続される。同様に、オス側コネクター１１０の向き検出用端子である端子番号３の接続端子は、メス側コネクター１２０の向き検出用端子である端子番号１８の接続端子に接続される。
【００３８】
オス側コネクター１１０及びメス側コネクター１２０が、２行ｎ列（ｎは２以上の偶数）に配置された２×ｎ個の接点を備えたコネクター１００であるとする。この場合、少なくとも、第１行目の一端からｎ／２番目の接続端子、第１行目の一端から（ｎ／２）＋１番目の接続端子、第２行目の一端からｎ／２番目の接続端子、及び第２行目の一端から（ｎ／２）＋１番目の接続端子が電源線に割り当てられている。例えば、図４に示す例では、第１行目が、端子番号１〜１０番の接続端子となり、第２行目が、端子番号１１〜２０番の接続端子となる。また、ｎの値を１０とした場合、第１行目のｎ／２番目の接続端子は、端子番号５の接続端子となり、第１行目の（ｎ／２）＋１番目の接続端子は、端子番号６の接続端子となる。また、第２行目のｎ／２番目の接続端子は、端子番号１５の接続端子となり、第２行目の（ｎ／２）＋１番目の接続端子は、端子番号１６の接続端子となる。
また、オス側コネクター１１０及びメス側コネクター１２０が、２行ｎ列（ｎは２以上の自然数）に配置された２×ｎ個の接点を備えたコネクターであるとする。この場合、少なくとも、第１行目及び第２行目の、ｎ以下であって、１＋３ｍ（ｍは０以上の整数）番目の接続端子が接地線に割り当てられている。図４に示す例では、ｎの値が１０であるため、第１行目の端子番号１、４、７、１０の接続端子と、第２行目の端子番号１１、１４、１７、２０の接続端子が接地線に割り当てられている。
なお、図４には、２行１０列のオス側コネクター１１０及びメス側コネクター１２０を示しているが、２行７列等の列数が奇数のコネクター１００であってもよい。すなわち、オス側コネクター１１０及びメス側コネクター１２０が、２行ｎ列（ｎは３以上の奇数）に配列された２×ｎ個の接点を備えたコネクターであるとする。この場合、少なくとも、第１行目の一端から（ｎ＋１）／２番目の接続端子、及び第２行目の一端から（ｎ＋１）／２番目の接続端子が電源線に割り当てられている。
また、メス側コネクター１２０が、２行ｎ列（ｎは２以上の自然数）に配置された２×ｎ個の接点を備えたコネクター１００であるとする。この場合、少なくとも、第１行目の一端からｎ−ｌ番目の接続端子（ｌは１以上ｎ−１以下の自然数）と、第１行目の一端からｎ−ｌ＋１番目の接続端子とが差動信号線に割り当てられている。また、第２行目の一端からｌ番目の接続端子と、第２行目の一端からｌ＋１番目の接続端子とが差動信号線に割り当てられている。例えば、図４に示す例において、第１行目が、端子番号１〜１０番の接続端子となり、第２行目が、端子番号１１〜２０番の接続端子となるとした場合、ｎの値は１０である。このとき、ｌの値を２とした場合、第１行目の端子番号８の接続端子と、第１行目の端子番号９の接続端子と、第２行目の端子番号１２の接続端子と、第２行目の端子番号１３の接続端子が差動信号線に割り当てられている。
また、メス側コネクター１２０が、２行ｎ列（ｎは２以上の自然数）に配置された２×ｎ個の接点を備えたコネクター１００であるとする。ここで、１本の画像信号線によって画像データの送信を行う場合、少なくとも、第１行目の一端からｎ−ｋ番目の接続端子（ｋは０以上ｎ−１以下の自然数）、及び第２行目の一端からｋ＋１番目の接続端子を画像信号線に割り当てても良い。例えば、図４に示す例において、第１行目が、端子番号１〜１０番の接続端子となり、第２行目が、端子番号１１〜２０番の接続端子となるとした場合、ｎの値は１０である。このとき、ｋの値を１とすると、第１行目の端子番号９の接続端子と、第２行目の端子番号１２の接続端子が画像信号線に割り当てられることになる。
また、オス側コネクター１１０が、２行ｎ列（ｎは２以上の自然数）に配置された２×ｎ個の接点を備えたコネクター１００であるとする。この場合、少なくとも、第１行目の一端からｎ−ｊ番目の接続端子（ｊは１以上ｎ−１以下の自然数）、及び第１行目の一端からｎ−ｊ＋１番目の接続端子はアサインされずに空きとなる。また、第２行目の一端からｊ番目の接続端子、及び第２行目の一端からｊ＋１番目の接続端子（ｌは０以上ｎ／２以下の自然数）が差動信号線に割り当てられている。図４に示す例において、第１行目が、端子番号１〜１０番の接続端子となり、第２行目が、端子番号１１〜２０番の接続端子となるとした場合、ｎの値は１０である。このとき、ｌの値を２とした場合、第１行目の端子番号８の接続端子、及び第１行目の端子番号９の接続端子が空きとなる。また、第２行目の端子番号１２の接続端子、及び第２行目の端子番号１３の接続端子が差動信号線に割り当てられている。
また、オス側コネクター１１０が、２行ｎ列（ｎは２以上の自然数）に配置された２×ｎ個の接点を備えたコネクター１００であり、１本の画像信号線によって画像データの送信を行うとする。この場合、少なくとも、第１行目の一端からｎ−ｉ番目の接続端子（ｉは０以上ｎ−１以下の自然数）がアサインされずに空きになり、第２行目の一端からｉ＋１番目の接続端子が画像信号線に割り当てられても良い。例えば、図４に示す例において、第１行目が、端子番号１〜１０番の接続端子となり、第２行目が、端子番号１１〜２０番の接続端子となるとした場合、ｎの値は１０である。このとき、ｉの値を１とすると、第１行目の端子番号９の接続端子が空きになり、第２行目の端子番号１２の接続端子が画像信号線に割り当てられることになる。
【００３９】
次に、正面接続及び背面接続を可能とするための、オス側コネクター１１０及びメス側コネクター１２０のピンアサインについて説明する。
図４（Ａ）及び（Ｂ）を参照すると、オス側コネクター１１０の電源線は、オス側コネクター１１０とメス側コネクター１２０とを嵌合させた際のオス側コネクター１１０側の接合面１７０において、回転の中心部の接続端子に割り当てられている。同様に、メス側コネクター１２０の電源線は、オス側コネクター１１０との接合面１８０において、回転の中心部の接続端子に割り当てられている。本実施形態では、オス側コネクター１１０及びメス側コネクター１２０の端子番号５，６，１５，１６の接続端子に電源線が接続されている。オス側コネクター１１０の、電源線に接続された端子番号５，６，１５，１６の接続端子は、接合面１７０に対して点対称に配置されている。同様に、メス側コネクター１２０の、電源線に接続された端子番号５，６，１５，１６の接続端子も、接合面１８０に対して点対称に配置されている。
また、オス側コネクター１１０では、端子番号１２，１３の接続端子に差動信号線が接続されていたが、メス側コネクター１２０は、端子番号１２，１３の接続端子に加え、端子番号８，９の接続端子も差動信号線に接続されている。オス側コネクター１１０を正面接続した場合、オス側コネクター１１０の端子番号１２，１３の接続端子が、メス側コネクター１２０の端子番号１２，１３の接続端子に接続される。また、オス側コネクター１１０を背面接続した場合には、オス側コネクター１１０の端子番号１２，１３の接続端子が、メス側コネクター１２０の端子番号８，９の接続端子に接続される。すなわち、メス側コネクター１２０の、差動信号線に接続された端子番号８，９，１２，１３の接続端子は、接合面１８０に対して点対称に配置されている。このように本実施形態は、メス側コネクター１２０側に、差動信号線対に接続する接続端子として、端子番号８，９の接続端子の他に、端子番号１２，１３の接続端子を設けている。従って、オス側コネクター１１０を正面、背面のいずれかの方向で接続した場合に、オス側コネクター１１０の差動信号線対に割り当てた接続端子を、メス側コネクター１２０の差動信号線対に割り当てた接続端子に接続させることができる。
【００４０】
ここで、向き検出用端子を用いたオス側コネクター１１０の接続方向の判定について説明する。無線通信モジュール３２は、オス側コネクター１１０とメス側コネクター１２０とが接続され、プロジェクター１に接続された際に、端子番号３の接続端子と、端子番号１８の接続端子とから事前に設定されたレベルの電圧を出力する。プロジェクター１の制御部２０は、端子番号３の接続端子と、端子番号１８の接続端子から入力する電圧により、無線通信モジュール３２が正面接続されたのか、背面接続されたのかを判定する。例えば、端子番号３の接続端子から入力する電圧が＋５Ｖであり、端子番号１８の接続端子から入力する電圧が０Ｖである場合、プロジェクター１の制御部２０は、無線通信モジュール３２が正面接続されたと判定する。逆に、端子番号３の接続端子から入力する電圧が０Ｖであり、端子番号１８の接続端子から入力する電圧が＋５Ｖである場合、プロジェクター１の制御部２０は、無線通信モジュール３２が背面接続されたと判定する。
なお、向き検出用端子を用いて、無線通信モジュール３２と、無線通信装置５２との通信方式を判定できるように構成してもよい。例えば、ＷｉｒｅｌｅｓｓＨＤ等のミリ波を受信する無線通信モジュール３２がプロジェクター１に接続された場合には、無線通信モジュール３２は、向き検出用端子に接続した信号線を介して所定の信号をプロジェクター１に出力する。また、Ｍｉｒａｃａｓｔ等の通信に使用される２．４ＧＨｚや５ＧＨｚの電波を受信する無線通信モジュール３２が接続された場合、無線通信モジュール３２は、向き検出用端子に接続した信号線には所定の信号を出力しないようにする。
【００４１】
また、制御信号線に接続する、オス側コネクター１１０の端子番号２、１９の接続端子は、同一の制御信号線に接続するものであってもよい。すなわち、１本の制御信号線を途中で２分岐させ、端子番号２の接続端子と、端子番号１９の接続端子とにそれぞれ接続するものであってもよい。なお、メス側コネクター１２０の端子番号２、１９の接続端子についても同様である。データの転送速度が低速な制御信号線においては、このような接続としても問題を生じない。しかし、データを高速に転送する差動信号線対の場合、制御信号線のように信号線を２分岐させて２つの接続端子に接続するように構成することはできない。例えば、オス側コネクター１１０にも、＋側の差動信号線と−側の差動信号線とに接続する接続端子を２つずつ、計４つ設けたとする。すなわち、オス側コネクター１１０の空きになっている端子番号８，９の接続端子にも差動信号線対を割り当てるように構成したとする。そして、＋側の差動信号線を２分岐させて、オス側コネクター１１０の端子番号９の接続端子と、端子番号１２の接続端子とに接続したとする。また、メス側コネクター１２０も＋側の差動信号線を２分岐させて、端子番号９の接続端子と、端子番号１２の接続端子とに接続したとする。同様に、−側の差動信号線を２分岐させて、オス側コネクター１１０の端子番号８の接続端子と、端子番号１３の接続端子とに接続したとする。メス側コネクター１２０も−側の差動信号線を２分岐させて、端子番号８の接続端子と、端子番号１３の接続端子とに接続したとする。このような接続を行うと、端子番号８，９の接続端子と、端子番号１２，１３の接続端子とが両方とも差動信号線対に接続された状態となる。このため、一方の接続端子、例えば、端子番号８，９の接続端子を介して受信した差動信号が反射して、他方の接続端子である端子番号１２，１３の接続端子を介して送信側に戻ってしまう場合がある。このため、本実施形態では、メス側コネクター１２０側にだけ、差動信号線対に接続する接続端子を２対設けて、いずれか一対の接続端子が選択的に差動信号線対に接続されるように構成している。
【００４２】
以上、詳細に説明したように本実施形態は、オス側コネクター１１０を、正面接続及び背面接続のいずれかの方向でメス側コネクター１２０に接続した場合に、オス側及びメス側コネクター１１０、１２０の接続端子同士が電気的に接続される。オス側コネクター１１０は、アンテナを有する無線通信モジュール３２に設けられ、メス側コネクター１２０は、プロジェクター１に設けられているので、通信状態のよい方向を選択してオス側コネクター１１０をメス側コネクター１２０に接続する。これにより、アンテナで受信する電波の指向性が高くても、良好な通信状態を実現することができる。
【００４３】
上述した実施形態によれば、以下の効果が得られる。
コネクター１００は、互いに嵌合するオス側コネクター１１０及びメス側コネクター１２０を含み、無線通信モジュール３２をプロジェクター１に接続するコネクターである。オス側コネクター１１０は、複数の接点を備え、メス側コネクター１２０との接合面の中心に対して点対称な正面方向及び背面方向のいずれかの方向でメス側コネクター１２０に接続した場合に、複数の接続端子がメス側コネクター１２０の接続端子に接続される。従って、メス側コネクター１２０に対してオス側コネクター１１０がどちらの方向で接続されても接点が導通するので、接続方向を選択することができる。このため、通信状態のよい方向を選択してオス側コネクター１１０をメス側コネクター１２０に接続することで、設置場所によらず、良好な通信状態を実現することができる。
【００４４】
また、オス側コネクター１１０の複数の接続端子は、オス側コネクター１１０が正面方向及び背面方向のいずれかの方向で接続した場合に、各接続端子に割り当てられた信号線と同一の信号線を割り当てられたメス側コネクター１２０の接続端子に接続される。従って、オス側コネクター１１０を、メス側コネクター１２０に対して正面方向及び背面方向のいずれかの方向で接続した場合に、オス側コネクター１１０とメス側コネクター１２０との接点が電気的に接続され、信号の送受信が可能となる。
【００４５】
コネクター１００は、互いに嵌合するオス側コネクター１１０及びメス側コネクター１２０を含み、無線通信モジュール３２をプロジェクター１に接続するコネクター１００である。オス側コネクター１１０は、電源線に接続された複数の第１接点と、接地線に接続された複数の第２接点とを備えている。複数の第１接点は、メス側コネクター１２０との接合面の中心に対して互いに点対称となる位置に配置され、複数の第２接点は、接合面の中心に対して互いに点対称となる位置に配置される。また、複数の第１及び第２接点は、接合面の中心に対して点対称な第１及び第２の方向のいずれかの方向でメス側コネクター１２０に接続した場合に、メス側コネクター１２０側の接点に接続される。従って、メス側コネクター１２０に対してオス側コネクター１１０がどちらの方向で接続されても接点が導通するので、接続方向を選択することができる。このため、通信状態のよい方向を選択してオス側コネクター１１０をメス側コネクター１２０に接続することで、設置場所によらず、良好な通信状態を実現することができる。
【００４６】
また、コネクター１００のメス側コネクター１２０は、電源線に接続された複数の第３接点と、接地線に接続された複数の第４接点とを備えている。複数の第３接点は、プラグとの接合面の中心に対して互いに点対称となる位置に配置され、複数の第４接点は、接合面の中心に対して互いに点対称となる位置に配置されている。従って、オス側コネクター１１０を、メス側コネクター１２０に対して正面方向及び背面方向のいずれかの方向で接続した場合に、オス側コネクター１１０とメス側コネクター１２０との接点が電気的に接続され、信号の送受信が可能となる。
【００４７】
また、複数の第３接点は、メス側コネクター１２０が正面方向及び背面方向のいずれかの方向でオス側コネクター１１０に接続した場合に、オス側コネクター１１０の電源線に接続された複数の第１接点に接続される。また、複数の第４接点は、メス側コネクター１２０が正面方向及び背面方向のいずれかの方向でオス側コネクター１１０に接続した場合に、オス側コネクター１１０の接地線に接続された複数の第２接点に接続される。
従って、オス側コネクター１１０を、メス側コネクター１２０に対して正面方向及び背面方向のいずれかの方向で接続した場合に、オス側コネクター１１０とメス側コネクター１２０との接点が電気的に接続され、信号の送受信が可能となる。
【００４８】
また、オス側コネクター１１０は、画像データの通信に使用する差動信号線対に接続する複数の第５接点を備えている。また、メス側コネクター１２０は、複数の第６接点と複数の第７接点とを備えている。複数の第６接点は、オス側コネクター１１０が正面方向でメス側コネクター１２０に接続された場合に差動信号線対に接続される。また、複数の第７接点は、オス側コネクター１１０が背面方向でメス側コネクター１２０に接続された場合に差動信号線対に接続される。従って、オス側コネクター１１０を、メス側コネクター１２０に対して正面方向及び背面方向のいずれかの方向で接続した場合に、差動信号線対に接続した接点同士を接続することができ、差動信号線対を用いた画像データの通信が可能になる。
【００４９】
また、オス側コネクター１１０のメス側コネクター１２０に対する接続方向である正面方向と背面方向とを判定する複数の信号線に接続した複数の第８接点を備えている。従って、オス側コネクター１１０がメス側コネクター１２０に対して正面方向で接続されたのか、背面方向で接続されたのかを判定することができる。
【００５０】
また、コネクター１００は、２ＧＨｚ以上の周波数帯域の電波を使用して無線通信を行う無線通信モジュール３２と、プロジェクター１とを接続するコネクターであることを特徴とする。また、本発明は、上記コネクターにおいて、オス側コネクター１１０は、無線通信モジュール３２に設けられ、メス側コネクター１２０は、プロジェクター１に設けられている。従って、無線通信モジュール３２とプロジェクター１とをコネクター１００により接続することができる。特に、無線通信モジュール３２が、指向性を有する電波を使用するモジュールである場合、通信状態のよい方向を選択してオス側コネクター１１０をメス側コネクター１２０に接続することで、設置場所によらず、良好な通信状態を実現することができる。
【００５１】
上述した実施形態は、本発明の好適な実施の形態である。但し、これに限定されるものではなく、本発明の要旨を逸脱しない範囲内において種々の変形実施が可能である。例えば、上述した実施形態では、オス側コネクター１１０及びメス側コネクター１２０が２０端子を備える場合を例示したが、接続端子の数は２０端子に限定されるものではない。
【符号の説明】
【００５２】
１…プロジェクター（電子機器）、１０…投射部、１１…光源部、１２…光変調装置、１３…投射光学系、２０…制御部、２１…投射光学系駆動部、２２…光源駆動部、２３…光変調装置駆動部、２４…画像処理部、２５…フレームメモリー、２６…操作パネル、３０…無線送信装置、３１…Ｉ／Ｆ部、３２…無線通信モジュール、５１…画像供給装置、５２…無線通信装置、７０…筐体、１００…コネクター、１１０…オス側コネクター（プラグ）、１２０…メス側コネクター（レセプタクル）、１３０、１５０、１６０…アンテナ部、１４０…モジュール本体部。
【図１】
2015185214.tif 000003
【図２】
2015185214.tif 000004
【図３】
2015185214.tif 000005
【図４】
2015185214.tif 000006
【図５】
2015185214.tif 000007